(57)【要約】      （修正有）【課題】モータの出力を押圧力に応じて変化させる電動リールにおいて、パーミングが不安定になることを抑制する操作部の提供。【解決手段】電動リール１００は、釣り糸を前方に繰り出し可能であり、釣り糸が巻き付けられるスプールをモータで駆動する。電動リール１００は、リール本体２と、ハンドル５と、押圧操作部１４と、モータ制御部と、指掛け部２０と、を備える。リール本体２は、第１側板６ａと、第１側板６ａと左右方向に間隔を隔てて配置された第２側板と、を有する。ハンドル５は、リール本体２の第１側板６ａ側において、リール本体２に回転可能に支持されている。押圧操作部１４は、リール本体２の上部に設けられている。モータ制御部は、押圧操作部１４を押圧する押圧力に応じてモータの出力を制御する。指掛け部２０は、リール本体２の第２側板側の前下部に設けられている。【選択図】図３
2020005597.tif 000002
【特許請求の範囲】
【請求項１】
釣り糸を前方に繰り出し可能であり、前記釣り糸が巻き付けられるスプールをモータで駆動する電動リールであって
第１側板と、前記第１側板と左右方向に間隔を隔てて配置された第２側板と、を有するリール本体と、
前記リール本体の前記第１側板側において、前記リール本体に回転可能に支持されたハンドルと、
前記リール本体の上部に設けられた押圧操作部と、
前記押圧操作部を押圧する押圧力に応じて前記モータの出力を制御するモータ制御部と、
前記リール本体の前記第２側板側の前下部に設けられた指掛け部と、
を備えた、電動リール。
【請求項２】
前記指掛け部は、前記第２側板から下方に突出するように前記第２側板に一体形成された、
請求項１に記載の電動リール。
【請求項３】
前記指掛け部は、前記リール本体の前記第２側板側の後下部よりも下方に突出する、
請求項１又は２に記載の電動リール。
【請求項４】
前記指掛け部は、上下方向に延び、上方から下方に延びるにつれて後方に傾斜する、
請求項１から３のいずれか１項に記載の電動リール。
【請求項５】
前記リール本体の前記第１側板側の下部に設けられ、電力を供給する電源ケーブルが接続されるコネクタ部をさらに備え、
前記指掛け部の左右方向の厚みは、前記コネクタ部の左右方向の厚みよりも薄い、
請求項１から４のいずれか１項に記載の電動リール。
【請求項６】
前記押圧操作部は、前記リール本体の前記第２側板側に偏倚した位置に配置された、
請求項１から５のいずれか１項に記載の電動リール。
【請求項７】
中立位置に付勢されるシーソースイッチをさらに備え、
前記押圧操作部は、第１押圧部と、第１押圧部に近接する第２押圧部と、を有し、
前記第１及び第２押圧部は、前記シーソースイッチ内に配置され、前記シーソースイッチを介して押圧される、
請求項１から６のいずれか１項に記載の電動リール。
【発明の詳細な説明】
【技術分野】
【０００１】
本発明は、電動リールに関する。
【背景技術】
【０００２】
電動リールは、釣り糸が巻き付けられるスプールをモータで駆動して、釣り糸を巻き上げる。モータの出力は、リール本体に設けられた出力調整部材の操作により調節される。例えば、特許文献１に記載された電動リールは、出力調整部材が圧力センサを有する押圧操作部として構成されており、押圧操作部を押圧する押圧力に応じてモータの出力が増加又は減少する。なお、電動リールは、リール本体に設けられたハンドルによっても、釣り糸を巻き上げることができる。
【先行技術文献】
【特許文献】
【０００３】
【特許文献１】特開２０１８−０１４９９０号公報
【発明の概要】
【発明が解決しようとする課題】
【０００４】
ここで、電動リールを含む両軸受リールにおいて、ハンドルを操作する手と反対側の手で、リール本体を釣り竿とともに把持することを、一般的にパーミングという。上記の電動リールでは、押圧操作部がリール本体の上部に設けられており、パーミングをした手の親指で押圧操作部を強い力で押圧した場合、押圧した力がリール本体に作用してパーミングが不安定になるおそれがある。特に、押圧操作部が釣り竿の軸心に対して側方に偏倚して配置されている場合、パーミングが不安定になりやすい。
【０００５】
本発明の課題は、モータの出力を押圧力に応じて変化させる電動リールにおいて、パーミングが不安定になることを抑制することにある。
【課題を解決するための手段】
【０００６】
（１）本発明の一側面に係る電動リールは、釣り糸を前方に繰り出し可能であり、釣り糸が巻き付けられるスプールをモータで駆動する。電動リールは、リール本体と、ハンドルと、押圧操作部と、モータ制御部と、指掛け部と、を備える。リール本体は、第１側板と、第１側板と左右方向に間隔を隔てて配置された第２側板と、を有する。ハンドルは、リール本体の第１側板側において、リール本体に回転可能に支持されている。押圧操作部は、リール本体の上部に設けられている。モータ制御部は、押圧操作部を押圧する押圧力に応じてモータの出力を制御する。指掛け部は、リール本体の第２側板側の前下部に設けられている。
【０００７】
この電動リールでは、パーミングをする手の人差し指または中指を指掛け部に掛けた状態で、パーミングをすることができる。このため、パーミングをした手の親指で押圧操作部を押圧するときに、押圧操作部を押圧する力を指掛け部に掛けた指で支持できるので、パーミングをした状態でも、押圧操作部を強い力で押圧することができる。すなわち、押圧操作部を強い力で押圧しても、押圧した力を指掛け部に掛けた指で支持できるので、パーミングが不安定になることを抑制できる。
【０００８】
（２）好ましくは、指掛け部は、第２側板から下方に突出するように第２側板に一体形成されている。この場合は、部品点数が削減できるとともに、押圧操作部を前方に向けて押圧したときにおいて、リール本体を前方に移動させようとする力を指掛け部に掛けた指で支持することができる。
【０００９】
（３）好ましくは、指掛け部は、リール本体の第２側板側の後下部よりも下方に突出する。この場合は、パーミングがし易くなるとともに、指掛け部にパーミングをした手の指を掛け易くなる。
【００１０】
（４）好ましくは、指掛け部は、上下方向に延び、上方から下方に延びるにつれて後方に傾斜する。この場合は、押圧操作部を下方に向けて押圧したときのリール体を移動させようとする力に対しても、指掛け部に掛けた指で支持することができる。
【００１１】
（５）好ましくは、リール本体の第１側板側の下部に設けられ、電力を供給する電源ケーブルが接続されるコネクタ部をさらに備え、指掛け部の左右方向の厚みは、コネクタ部の左右方向の厚みよりも薄い。この場合は、例えば、指掛け部をコネクタ部で兼用した場合に比べて、パーミングをする手の人指し指または中指の先端が釣り竿に届き易い。
【００１２】
（６）好ましくは、押圧操作部は、リール本体の第２側板側に偏倚した位置に配置されている。この場合は、パーミングをした手の親指で押圧操作部の操作がし易い。
【００１３】
（７）好ましくは、中立位置に付勢されるシーソースイッチをさらに備え、押圧操作部は、第１押圧部と、第１押圧部に近接する第２押圧部と、を有し、第１及び第２押圧部は、シーソースイッチ内に配置され、シーソースイッチを介して押圧される。この場合は、例えば、押圧操作部の操作を断続的に複数回したときの感覚的なフィードバックが得やすい。
【発明の効果】
【００１４】
本発明によれば、モータの出力を押圧力に応じて変化させる電動リールにおいて、パーミングが不安定になることを抑制することができる。
【図面の簡単な説明】
【００１５】
【図１】本発明の一実施形態に係る電動リールの斜視図。
【図２】本発明の一実施形態に係る電動リールの正面図。
【図３】本発明の一実施形態に係る電動リールの側面図。
【図４】本発明の一実施形態に係る電動リールの斜視図。
【図５】電動リールの制御系の構成を示すブロック図。
【図６】押圧操作部の断面図。
【発明を実施するための形態】
【００１６】
本発明の一実施形態に係る電動リール１００は、釣り糸を前方に繰り出し可能である。電動リール１００は、図１乃至図５に示すように、リール本体２と、スプール３と、モータ４と、ハンドル５と、押圧操作部１４と、モータ制御部１６と、指掛け部２０と、を備えている。また、電動リール１００は、好ましくは、シーソースイッチ２６と、コネクタ部２８と、をさらに備えている。
【００１７】
なお、以下の説明において、釣りを行うときに、釣り糸が繰り出される方向を前、その反対方向を後という。また、リール本体２を釣り竿１０（図２参照）に装着したときの、釣り竿１０が装着される側を下、その反対側を上という。また、左右とは、電動リール１００を後方から見たときの左右をいう。
【００１８】
リール本体２は、フレーム６と、フレーム６の右側を覆う第１側カバー７と、フレーム６の左側を覆う第２側カバー８と、フレーム６の前部を覆う前カバー９と、を有している。
【００１９】
リール本体２の内部には、スプール３に連動して作動する図示しない往復移動機構や、モータ４及びハンドル５の回転をスプール３に伝達する図示しない回転伝達機構等が設けられている。
【００２０】
フレーム６は、第１側板６ａと、第２側板６ｂと、複数の連結部６ｃと、竿装着部６ｄと、を有している。第１側板６ａは、フレーム６の右側に配置されている。第２側板６ｂは、第１側板６ａと左右方向に間隔を隔てて、フレーム６の左側に配置されている。複数の連結部６ｃは、左右方向に延び、第１側板６ａと第２側板６ｂとを連結している。竿装着部６ｄは、釣り竿１０が装着される部分であり、第１側板６ａと第２側板６ｂとの略中間位置において、フレーム６の下部に前後方向に延びて形成されている。
【００２１】
リール本体２の上部には、第１側板６ａ及び第２側板６ｂに固定されたカウンタケース１１が設けられている。カウンタケース１１には、水深表示用の表示部１２、電動リール１００の各種設定をする際に使用される操作スイッチ１３、及び押圧操作部１４などが設けられている。また、カウンタケース１１の内部には、図５及び図６に示すように、電動リール１００の各種の制御を行う制御部１５が収容されている。
【００２２】
制御部１５は、図５に示すように、機能構成としてモータ４を制御するモータ制御部１６と、表示部１２を制御する表示制御部１７と、を有している。
【００２３】
制御部１５には、表示部１２、操作スイッチ１３、押圧操作部１４、スプール３の回転速度及び回転方向を検出するためのスプールセンサ１８、及びモータ４をＰＷＭ駆動するモータ駆動回路１９、が接続されている。モータ駆動回路１９は、押圧操作部１４の押圧操作に応じてモータ４の駆動を制御する。
【００２４】
スプール３は、外周に釣り糸が巻き付けられる部材であり、第１側板６ａと第２側板６ｂとの間でリール本体２に回転可能に支持されている。
【００２５】
モータ４は、リール本体２の内部に設けられている。モータ４は、モータ制御部１６によってＰＷＭ制御され、押圧操作部１４の押圧操作に応じて、スプール３を糸巻き取り方向に回転駆動する。
【００２６】
ハンドル５は、リール本体２の第１側カバー７側に回転可能に設けられている。
【００２７】
押圧操作部１４は、図１に示すように、リール本体２の上部に設けられている。詳細には、カウンタケース１１の表示部１２の後方側において、リール本体２の第２側板６ｂ側に偏倚した位置に配置されている。また、押圧操作部１４は、図２に示すように、釣り竿１０の軸心Ｏに対して、左右方向に偏倚して配置されている。本実施形態では、押圧操作部１４は、左右方向において釣り竿１０の軸心Ｏに対してリール本体２の第２側板６ｂ側、すなわち、左右方向においてハンドル５と反対側に偏倚して配置されている。
【００２８】
押圧操作部１４は、図５及び図６に示すように、第１押圧部２１と、第２押圧部２２と、を有している。本実施形態では、第１押圧部２１及び第２押圧部２２は、カウンタケース１１に設けられたシーソースイッチ２６内に配置されている。すなわち、本実施形態では、押圧操作部１４は、シーソースイッチ２６として構成されており、シーソースイッチ２６を介して、第１押圧部２１及び第２押圧部２２が押圧される。シーソースイッチ２６は、前後方向に延び、カウンタケース１１に設けられた左右方向に延びる図示しない揺動軸を介して、カウンタケース１１に揺動可能に支持されている。シーソースイッチ２６は、リール本体２に対して、略上下方向に揺動可能である。シーソースイッチ２６は、図５に示す中立位置に付勢されている。
【００２９】
シーソースイッチ２６は、上面が円弧状の曲面で形成されている。詳細には、シーソースイッチ２６は、中間部２６ａと、第１上面部２６ｂと、第２上面部２６ｃと、を有している。中間部２６ａは、前後方向においてシーソースイッチ２６の中間位置に設けられ、第１上面部２６ｂと第２上面部２６ｃとを滑らかに接続している。
【００３０】
第１上面部２６ｂは、中間部２６ａから前方に延び、第１押圧部２１の上方に配置されている。第１上面部２６ｂを押圧することで、第１押圧部２１が押圧される。第１上面部２６ｂは、シーソースイッチ２６が中立位置にあるとき、中間部２６ａから前方に延びるに従って、上方に傾斜するように構成されている。
【００３１】
第２上面部２６ｃは、中間部２６ａから後方に延び、第２押圧部２２の上方に配置されている。第２上面部２６ｃを押圧することで、第２押圧部２２が押圧される。第２上面部２６ｃは、シーソースイッチ２６が図５に示す中立位置にあるとき、第１上面部２６ｂよりも下方に位置するように構成されている。
【００３２】
シーソースイッチ２６の上面を円弧状にすることで、シーソースイッチ２６に親指がフィットして、押圧操作部１４の押圧操作がし易くなる。また、第１上面部２６ｂ及び第２上面部２６ｃのそれぞれの位置を指の感覚で容易に把握することができるので、第１押圧部２１及び第２押圧部２２の押し間違いを防止できる。さらに、第１押圧部２１及び第２押圧部２２の位置を目視で確認する必要もなくなるので、モータ４の出力の調整を素早く実行できる。
【００３３】
第１押圧部２１及び第２押圧部２２のそれぞれは、圧力センサ２１ａ，２２ａを有している。圧力センサ２１ａ，２２ａは、第１押圧部２１及び第２押圧部２２を押圧する力（以下、押圧力と記す）の大きさに応じた検出値を電気信号として制御部１５に出力する。
【００３４】
モータ制御部１６は、押圧操作部１４を押圧する押圧力に応じてモータ４の出力を制御する。モータ制御部１６は、例えば、第１押圧部２１及び第２押圧部２２の一方が押圧されると、モータ４の出力を増加させ、第１押圧部２１及び第２押圧部２２の他方が押圧されると、モータ４の出力を減少させる。また、モータ制御部１６は、第１押圧部２１及び第２押圧部２２の押圧が停止されたときのモータ４の出力を維持する。ただし、モータ制御部１６におけるモータ４の出力の制御処理は、これに限定されるものではない。例えば、第１押圧部２１及び第２押圧部２２を押圧する押圧力及び押圧時間に応じてモータ４の出力を変化させてもよい。また、第１押圧部２１及び第２押圧部２２を断続的に操作したときに、所定値だけモータ４の出力を増加、又は減少させてもよい。
【００３５】
指掛け部２０は、図２乃至図４に示すように、リール本体２の第２側板６ｂ側の前下部に設けられている。本実施形態では、指掛け部２０は、第２側板６ｂから下方に突出するように第２側板６ｂに一体形成されている。指掛け部２０は、図３に示すように、少なくとも一部がリール本体２の第２側板６ｂ側の後下部よりも下方に突出する。指掛け部２０は、上下方向に延び、上方から下方に延びるにつれて後方に傾斜する。指掛け部２０の外縁は、第２側カバー８の外縁と滑らかに接続されている。
【００３６】
指掛け部２０を設けることで、パーミングをする手の人差し指または中指を指掛け部２０に掛けた状態で、パーミングをすることができる。このため、パーミングをした手の親指で押圧操作部１４を押圧するときに、押圧操作部１４を押圧する力を指掛け部２０に掛けた指で支持できるので、パーミングをした状態でも、押圧操作部１４を強い力で押圧することができる。すなわち、押圧操作部１４を強い力で押圧しても、押圧した力を指掛け部２０に掛けた指で支持できるので、パーミングが不安定になることを抑制できる。
【００３７】
また、本実施形態では、押圧操作部１４がリール本体２の第２側板６ｂ側に偏倚して配置されているので、パーミングをした手の親指で押圧操作部１４の操作をし易い。
【００３８】
コネクタ部２８は、図２乃至図４に示すように、リール本体２の第１側板６ａ側の下部に設けられている。コネクタ部２８は、リール本体２の第１側板６ａの前下部から下方に突出するように設けられている。コネクタ部２８には、電力を供給する図示しない電源ケーブルが接続される。コネクタ部２８には、キャップ部材３０が着脱可能に装着されている。
【００３９】
指掛け部２０の左右方向の厚みＷ１は、図２に示すように、コネクタ部２８の左右方向の厚みＷ２よりも薄い。言い換えると、左右方向において、指掛け部２０から釣り竿１０の軸心Ｏまでの距離Ｌ１は、コネクタ部２８から釣り竿１０の軸心Ｏまでの距離Ｌ２よりも短い。このため、指掛け部２０は、左右方向において、コネクタ部２８よりも釣り竿１０に近接している。したがって、例えば、コネクタ部２８をリール本体２の第２側板６ｂ側、すなわちハンドル５と反対側に設けて、指掛け部２０をコネクタ部２８で兼用したときよりも、パーミングをする手と釣り竿１０までの距離が近くなるので、パーミングがし易い。
【００４０】
＜他の実施形態＞
以上、本発明の一実施形態について説明したが、本発明は上記実施形態に限定されるものではなく、発明の要旨を逸脱しない範囲で種々の変更が可能である。
【００４１】
＜その他の実施形態＞
（ａ）前記実施形態では、コネクタ部２８がリール本体２の第１側板６ａ側に設けられていたが、コネクタ部２８をリール本体２の第２側板６ｂ側において下方に突出するように設けて、コネクタ部２８を指掛け部２０と兼用させてもよい。
【００４２】
（ｂ）前記実施形態では、指掛け部２０をリール本体２の第２側板６ｂに一体形成していたが、例えば、第２側カバー８の少なくとも一部に指掛け部２０を設けてもよいし、第２側板６ｂとは別の部材で指掛け部２０を構成してもよい。また、指掛け部２０の形状は、前記実施形態に限定されるものではない。
【００４３】
（ｃ）前記実施形態では、シーソースイッチ２６を介して、押圧操作部１４の第１押圧部２１及び第２押圧部２２を押圧する構成であったが、必ずしもシーソースイッチ２６を設ける必要はない。例えば、第１押圧部２１及び第２押圧部２２をリール本体２の上部に露出させてもよい。また、押圧操作部１４は、少なくとも１以上の押圧部を有していればよい。
【００４４】
（ｄ）前記実施形態では、第１側板６ａ側にハンドル、第２側板６ｂ側に指掛け部２０をそれぞれ設けていたが、第１側板６ａ側に指掛け部２０、第２側板６ｂ側にハンドルをそれぞれ設けてもよい。
【符号の説明】
【００４５】
２  リール本体
６ａ  第１側板
６ｂ  第２側板
３  スプール
４  モータ
５  ハンドル
１４  押圧操作部
１６  モータ制御部
２０  指掛け部
２１  第１押圧部
２２  第２押圧部
２６  シーソースイッチ
２８  コネクタ部
１００  電動リール
【図１】
2020005597.tif 000003
【図２】
2020005597.tif 000004
【図３】
2020005597.tif 000005
【図４】
2020005597.tif 000006
【図５】
2020005597.tif 000007
【図６】
2020005597.tif 000008